(57)【要約】      （修正有）【課題】１以上の蓄電素子を有する蓄電機器が収容された収容容器を隣接配置可能な構成において、省スペース化を図ることができる蓄電装置を提供する。【解決手段】１以上の蓄電素子を有する第一蓄電機器１００Ａと、第一蓄電機器１００Ａが収容された第一収容容器１１Ａとを備える蓄電装置１であって、第一収容容器１１Ａは、１以上の蓄電素子を有する第二蓄電機器が収容された第二収容容器と隣接配置可能に構成されており、第二収容容器と隣接して配置された場合に第二収容容器に対向する面である対向面に形成された開口部である第一対向開口部１３Ａ、１４Ａを有する。【選択図】図３
2015128015.tif 000002
【特許請求の範囲】
【請求項１】
１以上の蓄電素子を有する第一蓄電機器と、前記第一蓄電機器が収容された第一収容容器とを備える蓄電装置であって、
前記第一収容容器は、１以上の蓄電素子を有する第二蓄電機器が収容された第二収容容器と隣接配置可能に構成されており、前記第二収容容器と隣接して配置された場合に前記第二収容容器に対向する面である対向面に形成された開口部である対向開口部を有する
蓄電装置。
【請求項２】
さらに、
前記第一蓄電機器に接続され、前記対向開口部に挿入される配線を備える
請求項１に記載の蓄電装置。
【請求項３】
前記第一収容容器は、前記対向開口部の少なくとも一部を塞ぐ遮蔽部材を配置可能に形成されている
請求項１または２に記載の蓄電装置。
【請求項４】
前記対向開口部には、前記第一蓄電機器に接続された配線が挿入された場合に、前記対向開口部内の前記配線周囲の空間を狭めるための前記遮蔽部材が配置される
請求項３に記載の蓄電装置。
【請求項５】
前記第一収容容器は、前記対向面とは異なる面である非対向面に形成された非対向開口部を有する
請求項１〜４のいずれか１項に記載の蓄電装置。
【請求項６】
前記第一蓄電機器は、正極外部接続端子及び負極外部接続端子を備えており、
前記正極外部接続端子及び前記負極外部接続端子の少なくとも一方は、前記第一蓄電機器の前記対向開口部側に配置されている
請求項１〜５のいずれか１項に記載の蓄電装置。
【請求項７】
前記第一収容容器は、前記第一蓄電機器が載置される面における前記第一蓄電機器と対向する位置に、前記第一蓄電機器を支持する支持部を有する
請求項１〜６のいずれか１項に記載の蓄電装置。
【請求項８】
前記蓄電装置は、前記第二収容容器を備えており、
前記第一収容容器と前記第二収容容器とは、同一形状で形成されている
請求項１〜７のいずれか１項に記載の蓄電装置。
【発明の詳細な説明】
【技術分野】
【０００１】
本発明は、１以上の蓄電素子を有する蓄電機器と、当該蓄電機器が収容された収容容器とを備える蓄電装置に関する。
【背景技術】
【０００２】
１以上の蓄電素子（単電池）を有する蓄電機器（電池モジュール）を複数備える蓄電装置が知られている。ここで、この蓄電装置においては、用途に応じて必要な蓄電機器の数が異なる。このため、従来、それぞれの蓄電機器を収容容器に収容し、当該収容容器同士を隣接配置可能に構成して、蓄電機器の数を変更することができる蓄電装置が提案されている（例えば、特許文献１参照）。
【先行技術文献】
【特許文献】
【０００３】
【特許文献１】特許第４３１０７５８号公報
【発明の概要】
【発明が解決しようとする課題】
【０００４】
しかしながら、蓄電機器が収容された収容容器を隣接配置可能な上記従来の蓄電装置においては、以下のように、占有スペースが大きくなってしまうという問題がある。
【０００５】
つまり、上記の特許文献１に開示された従来の蓄電装置（電源装置）においては、それぞれの蓄電機器（電池モジュール）が収容容器に収容されているため、収容容器の外部に配置された配線で、蓄電機器同士を接続している。また、当該蓄電機器を冷却したり蓄電機器からのガスの排気を行ったりする場合には、収容容器の外部に冷却用または排気用の通路を設ける必要がある。このように、上記従来の蓄電装置では、収容容器の外部に配線や通路などを設ける必要があるため、占有スペースが大きくなってしまい、省スペース化を図ることができないという問題がある。
【０００６】
本発明は、上記問題を解決するためになされたものであり、１以上の蓄電素子を有する蓄電機器が収容された収容容器を隣接配置可能な構成において、省スペース化を図ることができる蓄電装置を提供することを目的とする。
【課題を解決するための手段】
【０００７】
上記目的を達成するために、本発明の一態様に係る蓄電装置は、１以上の蓄電素子を有する第一蓄電機器と、前記第一蓄電機器が収容された第一収容容器とを備える蓄電装置であって、前記第一収容容器は、１以上の蓄電素子を有する第二蓄電機器が収容された第二収容容器と隣接配置可能に構成されており、前記第二収容容器と隣接して配置された場合に前記第二収容容器に対向する面である対向面に形成された開口部である対向開口部を有する。
【０００８】
これによれば、蓄電装置において、第一蓄電機器が収容された第一収容容器は、第二蓄電機器が収容された第二収容容器と隣接して配置された場合に、第二収容容器に対向する対向面に形成された対向開口部を有している。これにより、対向開口部に配線を挿入したり、対向開口部を冷却用または排気用の通路として活用したりすることができるため、収容容器の外部に配線や通路などを設ける必要がなく、占有スペースが大きくなってしまうのを抑制することができる。このため、１以上の蓄電素子を有する蓄電機器が収容された収容容器を隣接配置可能な蓄電装置において、省スペース化を図ることができる。
【０００９】
また、さらに、前記第一蓄電機器に接続され、前記対向開口部に挿入される配線を備えることにしてもよい。
【００１０】
これによれば、蓄電装置において、第一蓄電機器に接続された配線が、対向開口部に挿入されるため、第一収容容器の内部に当該配線を配置することができ、省スペース化を図ることができる。
【００１１】
また、前記第一収容容器は、前記対向開口部の少なくとも一部を塞ぐ遮蔽部材を配置可能に形成されていることにしてもよい。
【００１２】
これによれば、蓄電装置において、第一収容容器は、遮蔽部材が配置可能なように形成されているため、対向開口部を介して、第一収容容器の内部に異物が侵入したり、第一収容容器の外部に第一蓄電機器からの排気などの排出物が漏洩したりするのを抑制することができる。
【００１３】
また、前記対向開口部には、前記第一蓄電機器に接続された配線が挿入された場合に、前記対向開口部内の前記配線周囲の空間を狭めるための前記遮蔽部材が配置されることにしてもよい。
【００１４】
これによれば、蓄電装置において、対向開口部内の配線周囲の空間を狭めるための遮蔽部材が配置されるため、対向開口部内の配線周囲の空間を介して、第一収容容器の内部に異物が侵入したり、第一収容容器の外部に第一蓄電機器からの排気などの排出物が漏洩したりするのを抑制することができる。
【００１５】
また、前記第一収容容器は、前記対向面とは異なる面である非対向面に形成された非対向開口部を有することにしてもよい。
【００１６】
これによれば、蓄電装置において、第一収容容器には、対向面とは異なる非対向面に非対向開口部が形成されているため、非対向開口部を冷却用または排気用の通路などとして活用することができる。このため、対向開口部に加えて、または対向開口部を遮蔽部材で塞いだような場合には対向開口部の代わりに、非対向開口部を形成することで、省スペース化を図ることができる。
【００１７】
また、前記第一蓄電機器は、正極外部接続端子及び負極外部接続端子を備えており、前記正極外部接続端子及び前記負極外部接続端子の少なくとも一方は、前記第一蓄電機器の前記対向開口部側に配置されていることにしてもよい。
【００１８】
これによれば、蓄電装置において、第一蓄電機器の正極外部接続端子及び負極外部接続端子の少なくとも一方は、対向開口部側に配置されているため、対向開口部内に挿入された配線を、容易に第一蓄電機器に接続することができる。
【００１９】
また、前記第一収容容器は、前記第一蓄電機器が載置される面における前記第一蓄電機器と対向する位置に、前記第一蓄電機器を支持する支持部を有することにしてもよい。
【００２０】
これによれば、蓄電装置において、第一収容容器は、第一蓄電機器を支持する支持部を有しているため、第一蓄電機器を搭載する際の第一収容容器の強度を確保することができる。
【００２１】
また、前記蓄電装置は、前記第二収容容器を備えており、前記第一収容容器と前記第二収容容器とは、同一形状で形成されていることにしてもよい。
【００２２】
これによれば、蓄電装置が備える第一収容容器と第二収容容器とは、同一形状で形成されているため、複数形状の収容容器を製造する必要がない。このため、簡易に蓄電装置を製造することができ、また、製造コストを低減することができる。
【発明の効果】
【００２３】
本発明における蓄電装置によれば、１以上の蓄電素子を有する蓄電機器が収容された収容容器を隣接配置可能な構成において、省スペース化を図ることができる。
【図面の簡単な説明】
【００２４】
【図１】本発明の実施の形態に係る蓄電装置の外観を示す斜視図である。
【図２】本発明の実施の形態に係る蓄電装置を分解した場合の各構成要素を示す分解斜視図である。
【図３】本発明の実施の形態に係る蓄電部の構成を示す斜視図である。
【図４】本発明の実施の形態に係る収容容器の構成を示す斜視図である。
【図５】本発明の実施の形態に係る第一収容容器と第二収容容器とを隣接して配置した場合の構成を示す斜視図である。
【図６】本発明の実施の形態に係る蓄電機器の外観を示す斜視図である。
【図７】本発明の実施の形態に係る蓄電素子を内部を透視して示す斜視図である。
【図８】本発明の実施の形態に係る蓄電部内での電力用配線及び制御用配線の配置を斜め上方から示す斜視図である。
【図９】本発明の実施の形態に係る蓄電部内での電力用配線及び制御用配線の配置を斜め下方から示す斜視図である。
【図１０】本発明の実施の形態の変形例に係る蓄電装置の外観を示す斜視図である。
【図１１】本発明の実施の形態の変形例に係る蓄電装置の外観を示す斜視図である。
【発明を実施するための形態】
【００２５】
以下、図面を参照しながら、本発明の実施の形態に係る蓄電装置について説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００２６】
（実施の形態）
まず、蓄電装置１の構成について、説明する。
【００２７】
図１は、本発明の実施の形態に係る蓄電装置１の外観を示す斜視図である。また、図２は、本発明の実施の形態に係る蓄電装置１を分解した場合の各構成要素を示す分解斜視図である。
【００２８】
なお、これらの図では、Ｚ軸方向を上下方向として示しており、以下ではＺ軸方向を上下方向として説明するが、使用態様によってはＺ軸方向が上下方向にならない場合も考えられるため、Ｚ軸方向は上下方向となることには限定されない。以下の図においても、同様である。
【００２９】
蓄電装置１は、外部からの電気を充電し、また外部へ電気を放電することができる装置である。例えば、蓄電装置１は、太陽光発電などの発電設備が発電した電力や商用電力系統からの電力を貯蔵する電力貯蔵用途、または貯蔵した電力を負荷に供給する電源用途などに使用される充放電装置である。
【００３０】
これらの図に示すように、蓄電装置１は、パワーコンディショナー部２０と、複数の蓄電部１０（本実施の形態では２つの蓄電部である第一蓄電部１０Ａ及び第二蓄電部１０Ｂ）と、ベース部３０とを備えている。
【００３１】
パワーコンディショナー部２０は、蓄電装置１の最上段に配置される外形が矩形状の部位であり、複数の蓄電部１０の上方に配置（第一蓄電部１０Ａの上面に載置）されている。パワーコンディショナー部２０は、入出力部２１を有しており、入出力部２１は、商用電力系統及び電力負荷に接続された分電盤や、太陽光発電などの発電設備と接続される。
【００３２】
つまり、パワーコンディショナー部２０は、入出力部２１を介して、当該発電設備で発電された電力や商用電力系統からの電力を受電する。そして、パワーコンディショナー部２０は、当該発電設備で発電された電力の電圧を調整したり商用電力系統からの交流電力を直流電力に変換したりして、複数の蓄電部１０へ送電する。
【００３３】
また、パワーコンディショナー部２０は、複数の蓄電部１０に貯蔵されている電力を電力負荷に供給するために、当該電力を交流に変換して、入出力部２１を介して、分電盤へ送電する。
【００３４】
なお、パワーコンディショナー部２０の内方には、排気のためのファンなど、その他の機器が配置されていてもかまわない。また、パワーコンディショナー部２０の外形は、矩形状には限定されず、四角錐形状など種々の形状が適用可能である。
【００３５】
複数の蓄電部１０（第一蓄電部１０Ａ及び第二蓄電部１０Ｂ）は、パワーコンディショナー部２０の下方に配置され、またベース部３０の上方に配置される外形が矩形状の部位である。本実施の形態では、ベース部３０上に第二蓄電部１０Ｂが載置され、第二蓄電部１０Ｂ上に第一蓄電部１０Ａが載置され、第一蓄電部１０Ａ上にパワーコンディショナー部２０が載置されている。
【００３６】
ここで、複数の蓄電部１０は、同じ外形状を有するとともに、互いに隣接配置可能（連結可能）に構成されており、いずれかの蓄電部１０を取り外したり、他の蓄電部１０を増設したりすることができる。つまり、本実施の形態では、２つの蓄電部１０（第一蓄電部１０Ａ及び第二蓄電部１０Ｂ）が配置されているが、蓄電部１０を着脱することにより、蓄電部１０の数を増減することができる構成になっている。
【００３７】
また、複数の蓄電部１０は、パワーコンディショナー部２０からの電気を充電し、またパワーコンディショナー部２０へ電気を放電する。なお、本実施の形態では、複数の蓄電部１０は、直列接続されているが、並列接続される構成でもかまわない。また、蓄電部１０の外形は、矩形状には限定されず、四角錐台形状など種々の形状が適用可能である。この蓄電部１０の構成の詳細な説明については、後述する。
【００３８】
ベース部３０は、複数の蓄電部１０を載置するための支持台である。具体的には、ベース部３０は、金属製の矩形及び板状の部材であり、上面に蓄電部１０（本実施の形態では、第二蓄電部１０Ｂ）を載置する。なお、ベース部３０の形状は、矩形及び板状には限定されず、円盤状など種々の形状が適用可能である。また、ベース部３０の材質も金属に限定されず、樹脂などによって形成されていてもよい。
【００３９】
次に、蓄電部１０の構成について、詳細に説明する。
【００４０】
図３は、本発明の実施の形態に係る蓄電部１０の構成を示す斜視図である。具体的には、同図は、前面（Ｘ軸マイナス側の面）のカバーを取り外した場合での蓄電部１０の構成を示す斜視図である。
【００４１】
同図では、蓄電部１０として第一蓄電部１０Ａを図示しており、以下では第一蓄電部１０Ａについての説明を中心に行う。なお、第二蓄電部１０Ｂについても第一蓄電部１０Ａと同様の構成を有するため、第二蓄電部１０Ｂについての詳細な説明は簡略化または省略する。
【００４２】
同図に示すように、蓄電部１０は、収容容器１１を備えており、収容容器１１には２つの蓄電機器１００が収容されている。つまり、第一蓄電部１０Ａは、２つの第一蓄電機器１００Ａと、当該２つの第一蓄電機器１００Ａが収容された第一収容容器１１Ａとを備えている。また、同様に、第二蓄電部１０Ｂは、２つの第二蓄電機器１００Ｂ（図示せず）と、当該２つの第二蓄電機器１００Ｂが収容された第二収容容器１１Ｂ（図示せず）とを備えている。
【００４３】
また、蓄電機器１００（第一蓄電機器１００Ａ及び第二蓄電機器１００Ｂ）は、それぞれ１以上の蓄電素子（後述の蓄電素子２００）を有している。この蓄電機器１００及び蓄電素子２００の構成の詳細な説明については、後述する。なお、収容容器１１に収容される蓄電機器１００は１つでもよいし、３つ以上でもかまわない。
【００４４】
収容容器１１は、矩形状の金属製の部材である。なお、収容容器１１の形状は、矩形状には限定されず、四角錐台形状など種々の形状が適用可能である。また、収容容器１１の材質も金属に限定されず、樹脂などによって形成されていてもよい。
【００４５】
収容容器１１は、上面（Ｚ軸プラス側の面）の四隅及び長辺の中央部分に、パワーコンディショナー部２０または他の収容容器１１を載置するための６つの平板状の載置部１２を有している。
【００４６】
つまり、第一収容容器１１Ａは、上面に６つの第一載置部１２Ａを有しており、当該６つの第一載置部１２Ａにパワーコンディショナー部２０が載置されて、ボルト締めなどによって第一収容容器１１Ａとパワーコンディショナー部２０とが連結される。これにより、第一収容容器１１Ａとパワーコンディショナー部２０とが隣接して配置される。
【００４７】
また、同様に、第二収容容器１１Ｂは、上面に６つの第二載置部１２Ｂ（図示せず）を有しており、当該６つの第二載置部１２Ｂに第一収容容器１１Ａが載置されて、ボルト締めなどによって第一収容容器１１Ａと第二収容容器１１Ｂとが連結される。これにより、第一収容容器１１Ａと第二収容容器１１Ｂとが隣接して配置される。
【００４８】
つまり、第一収容容器１１Ａと第二収容容器１１Ｂとは、同一形状で形成されており、第一収容容器１１Ａは、第二収容容器１１Ｂと隣接配置可能（連結可能）に構成されている。
【００４９】
また、蓄電機器１００には２つの配線である電力用配線１１０及び制御用配線１２０が接続され、収容容器１１には、電力用配線１１０及び制御用配線１２０が挿入される対向開口部１３が形成されるとともに、２つのグロメット１３０が設けられている。
【００５０】
ここで、電力用配線１１０は、複数の蓄電部１０内の蓄電機器１００同士を接続し、また、蓄電部１０内の蓄電機器１００とパワーコンディショナー部２０とを接続する電力送電用の配線である。つまり、電力用配線１１０は、各蓄電機器１００が有する後述の蓄電素子２００と電気的に接続されており、当該蓄電素子２００を充電するための電力をパワーコンディショナー部２０から供給したり、蓄電素子２００から放電される電力をパワーコンディショナー部２０に送電したりする。
【００５１】
また、制御用配線１２０は、複数の蓄電部１０内の蓄電機器１００同士を接続し、また、蓄電部１０内の蓄電機器１００とパワーコンディショナー部２０とを接続する制御用の配線である。つまり、制御用配線１２０は、各蓄電機器１００が有する後述の制御機器１０３と電気的に接続されており、各蓄電機器１００が有する蓄電素子２００を制御する。
【００５２】
具体的には、第一蓄電部１０Ａは、第一蓄電機器１００Ａに接続される第一電力用配線１１０Ａ及び第一制御用配線１２０Ａを備えている。また、第二蓄電部１０Ｂは、第二蓄電機器１００Ｂに接続される第二電力用配線１１０Ｂ及び第二制御用配線１２０Ｂを備えている。
【００５３】
そして、第一電力用配線１１０Ａ及び第一制御用配線１２０Ａのそれぞれは、第一収容容器１１Ａに設けられた２つの第一グロメット１３０Ａに挿入されて、パワーコンディショナー部２０に接続される。また、第二電力用配線１１０Ｂ及び第二制御用配線１２０Ｂのそれぞれは、第二収容容器１１Ｂに設けられた２つの第二グロメット１３０Ｂ（図示せず）に挿入され、また、第一収容容器１１Ａに設けられた第一対向開口部１３Ａに挿入されて、第一電力用配線１１０Ａ及び第一制御用配線１２０Ａに接続される。
【００５４】
ここで、収容容器１１に形成された開口部について、詳細に説明する。
【００５５】
図４は、本発明の実施の形態に係る収容容器１１の構成を示す斜視図である。具体的には、同図は、図３に示された収容容器１１を斜め下方から見た場合の斜視図である。なお、同図では、グロメット１３０を収容容器１１から取り外した状態を示している。
【００５６】
同図では、図３と同様に、収容容器１１として第一収容容器１１Ａを図示しており、以下では第一収容容器１１Ａについての説明を中心に行う。なお、第二収容容器１１Ｂについても第一収容容器１１Ａと同様の構成を有するため、第二収容容器１１Ｂについての詳細な説明は簡略化または省略する。
【００５７】
同図に示すように、収容容器１１には、対向開口部１３及び１４と、非対向開口部１５とが形成されている。
【００５８】
対向開口部１３及び１４は、収容容器１１が他の収容容器１１と隣接して配置（本実施の形態では、連結）された場合に当該他の収容容器１１に対向する面である対向面に形成された開口部である。また、非対向開口部１５は、当該対向面とは異なる面である非対向面に形成された開口部である。
【００５９】
つまり、対向開口部１３は、当該対向面である収容容器１１の底面１６に形成された矩形状の貫通孔であり、対向開口部１４は、当該対向面である収容容器１１の上面１７に形成された２つの円形状の貫通孔である。
【００６０】
また、非対向開口部１５は、当該非対向面である収容容器１１の側面１８に形成された複数の長尺状の貫通孔である。非対向開口部１５は、外部から雨水が浸入しないように、メッシュ構造になっていたり、膜が設置されたりするなどの防水構造が施されている。なお、非対向開口部１５は、上記の対向面（底面１６及び上面１７）以外の面であれば、側面１８以外の面に設けられていてもかまわない。
【００６１】
このように、第一収容容器１１Ａは、第二収容容器１１Ｂと隣接して配置（本実施の形態では、連結）された場合に第二収容容器１１Ｂに対向する面である対向面（第一底面１６Ａ）に形成された矩形状の第一対向開口部１３Ａを有している。また、同様に、第二収容容器１１Ｂは、第一収容容器１１Ａと隣接して配置（本実施の形態では、連結）された場合に第一収容容器１１Ａに対向する面である対向面（第二上面１７Ｂ（図示せず））に形成された２つの円形状の第二対向開口部１４Ｂ（図示せず）を有している。
【００６２】
なお、第一収容容器１１Ａの第一上面１７Ａは、パワーコンディショナー部２０に対向する面であるが、第一蓄電部１０Ａと第二蓄電部１０Ｂとを入れ替えた場合には、第二収容容器１１Ｂに対向する面となるため、第一対向開口部１４Ａについても、対向面（第一上面１７Ａ）に形成された開口部となる。第二収容容器１１Ｂの第二対向開口部１３Ｂ（図示せず）についても、同様である。
【００６３】
また、第一収容容器１１Ａは、第二収容容器１１Ｂと隣接して配置（本実施の形態では、連結）された場合に第二収容容器１１Ｂに対向しない面である非対向面（第一側面１８Ａ）に形成された複数の長尺状の第一非対向開口部１５Ａを有している。また、同様に、第二収容容器１１Ｂは、第一収容容器１１Ａと隣接して配置（本実施の形態では、連結）された場合に第一収容容器１１Ａに対向しない面である非対向面（第二側面１８Ｂ（図示せず））に形成された複数の長尺状の第二非対向開口部１５Ｂ（図示せず）を有している。
【００６４】
なお、対向開口部１３（第一対向開口部１３Ａ及び第二対向開口部１３Ｂ）の形状は、矩形状には限定されず、円形状などでもかまわない。また、対向開口部１３は、貫通孔には限定されず、切り欠きなど空間を形成する形状であればどのような形状でもかまわない。
【００６５】
また、対向開口部１４（第一対向開口部１４Ａ及び第二対向開口部１４Ｂ）の個数及び形状は、２つ及び円形状には限定されず、１つや３つ以上の矩形状など、どのような個数及び形状であってもかまわない。また、対向開口部１４は、貫通孔には限定されず、切り欠きなど空間を形成する形状であればどのような形状でもかまわない。
【００６６】
また、非対向開口部１５（第一非対向開口部１５Ａ及び第二非対向開口部１５Ｂ）の個数及び形状は、複数の長尺状には限定されず、どのような個数及び形状であってもかまわない。また、非対向開口部１５は、貫通孔には限定されず、切り欠きなど空間を形成する形状であればどのような形状でもかまわない。
【００６７】
また、収容容器１１は、対向開口部１４の少なくとも一部を塞ぐ遮蔽部材であるグロメット１３０を配置可能に形成されている。つまり、対向開口部１４には、蓄電機器１００に接続された配線が挿入された場合に、対向開口部１４内の配線周囲の空間を狭めるための遮蔽部材であるグロメット１３０が配置される。なお、グロメット１３０は、当該空間を小さく狭めるように形成されていればよいが、当該空間を完全に埋めてしまうように形成されていてもかまわない。
【００６８】
ここで、グロメット１３０は、対向開口部１４の形状に対応した円盤形状の部材であり、ゴムなどの弾性部材によって形成されている。また、２つの対向開口部１４に対応して２つのグロメット１３０が、それぞれの対向開口部１４に挿入されて、収容容器１１の上面１７に配置される。なお、グロメット１３０の形状及び材質は、特に限定されない。
【００６９】
具体的には、第一収容容器１１Ａは、第一対向開口部１４Ａの少なくとも一部を塞ぐ遮蔽部材である第一グロメット１３０Ａを配置可能に形成されている。そして、第一対向開口部１４Ａには、第一蓄電機器１００Ａに接続された第一電力用配線１１０Ａ及び第一制御用配線１２０Ａが挿入された場合に、第一対向開口部１４Ａ内の当該配線周囲の空間を狭めるための遮蔽部材である第一グロメット１３０Ａが配置される。第二収容容器１１Ｂの第二グロメット１３０Ｂ（図示せず）についても、同様である。
【００７０】
また、収容容器１１は、蓄電機器１００が載置される面である底面１６における蓄電機器１００と対向する位置に、蓄電機器１００を支持する支持部１９を有している。つまり、底面１６において、対向開口部１３の大きさを小さくすることで、蓄電機器１００が載置される位置に、平板状の支持部１９が形成されている。なお、支持部１９は、平板状には限定されず、梁のような形状であってもよい。
【００７１】
このように、第一収容容器１１Ａは、第一蓄電機器１００Ａが載置される面における第一蓄電機器１００Ａと対向する位置に、第一蓄電機器１００Ａを支持する第一支持部１９Ａを有している。第二収容容器１１Ｂの第二支持部１９Ｂ（図示せず）についても、同様である。
【００７２】
次に、収容容器１１に形成された開口部の位置について、詳細に説明する。
【００７３】
図５は、本発明の実施の形態に係る第一収容容器１１Ａと第二収容容器１１Ｂとを隣接して配置した場合の構成を示す斜視図である。具体的には、同図は、第一蓄電部１０Ａ及び第二蓄電部１０Ｂを連結させた状態で、第一蓄電機器１００Ａ及び第二蓄電機器１０Ｂを取り外した場合の構成を示している。
【００７４】
同図に示すように、第一収容容器１１Ａの第一対向開口部１３Ａは、第二収容容器１１Ｂに設けられた第二グロメット１３０Ｂと対応する位置に形成されている。具体的には、第二グロメット１３０Ｂが第一対向開口部１３Ａの内方に配置されるように、第一対向開口部１３Ａと第二グロメット１３０Ｂとが配置されている。
【００７５】
また、同様に、第一収容容器１１Ａの第一グロメット１３０Ａは、第一蓄電部１０Ａと第二蓄電部１０Ｂとを入れ替えた場合に、第二収容容器１１Ｂに形成された第二対向開口部１３Ｂと対応する位置に形成されている。
【００７６】
つまり、第一収容容器１１Ａに形成された第一対向開口部１３Ａは、第二収容容器１１Ｂに形成された第二対向開口部１４Ｂと対応する位置に形成されている。また、第一収容容器１１Ａの第一対向開口部１４Ａは、第一蓄電部１０Ａと第二蓄電部１０Ｂとを入れ替えた場合に、第二収容容器１１Ｂに形成された第二対向開口部１３Ｂと対応する位置に形成されている。このように、収容容器１１に形成された対向開口部１３及び１４は、隣接配置される他の収容容器１１に形成された対向開口部１４及び１３と対応する位置に形成されている。
【００７７】
また、収容容器１１は、対向開口部１３及び１４の少なくとも一方を塞ぐ遮蔽部材である遮蔽板１４０を配置可能に形成されている。つまり、遮蔽板１４０は、配線が挿入されないなどで活用されていない開口部を塞ぐための遮蔽部材である。
【００７８】
具体的には、第一収容容器１１Ａ及び第二収容容器１１Ｂは、第一対向開口部１３Ａ、１４Ａ及び第二対向開口部１３Ｂ、１４Ｂの少なくとも一部を塞ぐ遮蔽部材である遮蔽板１４０を配置可能に形成されている。本実施の形態では、第二収容容器１１Ｂに、第二対向開口部１３Ｂを塞ぐ第二遮蔽板１４０Ｂが配置されている。なお、第一蓄電部１０Ａと第二蓄電部１０Ｂとを入れ替えた場合には、第一収容容器１１Ａに、第一対向開口部１３Ａを塞ぐ第一遮蔽板１４０Ａ（図示せず）が配置される。
【００７９】
また、収容容器１１の内方には、蓄電部１０の収容容器１１同士、または蓄電部１０の収容容器１１とベース部３０とを締結するためのボルトなどの締結部材１５０が配置されている。ここで、この締結部材１５０は、収容容器１１の底面から突出して配置されるため、収容容器１１の内方に蓄電機器１００を挿入する際に、蓄電機器１００が締結部材１５０に干渉する虞がある。
【００８０】
このため、収容容器１１の内方には、締結部材１５０の両側方に、締結部材１５０よりも高さが高い載置台１６１及び１６２が配置され、載置台１６１及び１６２上に蓄電機器１００が載置される。これにより、収容容器１１の内方に蓄電機器１００を挿入する際に、蓄電機器１００が締結部材１５０に干渉するのを回避することができる。
【００８１】
次に、蓄電機器１００（第一蓄電機器１００Ａ及び第二蓄電機器１００Ｂ）の構成について、詳細に説明する。
【００８２】
図６は、本発明の実施の形態に係る蓄電機器１００の外観を示す斜視図である。
【００８３】
同図に示すように、蓄電機器１００（第一蓄電機器１００Ａ及び第二蓄電機器１００Ｂ）は、正極外部接続端子１０１及び負極外部接続端子１０２と、制御機器１０３と、下側連結部材１０４及び上側連結部材１０５と、複数の蓄電素子２００とを備えている。
【００８４】
正極外部接続端子１０１及び負極外部接続端子１０２は、蓄電機器１００が外部からの電気を充電し、また外部へ電気を放電するための電極端子である。つまり、蓄電機器１００は、正極外部接続端子１０１及び負極外部接続端子１０２を介して、外部からの電気を充電し、また外部へ電気を放電する。
【００８５】
ここで、正極外部接続端子１０１及び負極外部接続端子１０２の少なくとも一方は、蓄電機器１００の対向開口部１３、１４側に配置されている。本実施の形態では、第一蓄電機器１００Ａの正極外部接続端子１０１及び負極外部接続端子１０２ともに、第一蓄電機器１００Ａの第一対向開口部１３Ａ及び１４Ａ側に配置されている。また、第二蓄電機器１００Ｂの正極外部接続端子１０１及び負極外部接続端子１０２ともに、第二蓄電機器１００Ｂの第二対向開口部１３Ｂ及び１４Ｂ側に配置されている。
【００８６】
制御機器１０３は、制御基板が収容された機器である。この制御基板は、複数の蓄電素子２００の状態を取得し、監視し、制御することのできる基板であり、配線によって複数の蓄電素子２００に接続されている。ここで、当該配線は、蓄電素子２００の正極端子または負極端子と制御基板とを繋ぐリード線である。
【００８７】
具体的には、制御機器１０３は、複数の蓄電素子２００の充電状態や放電状態（電圧、温度などの電池状態）などを監視する。制御機器１０３の制御基板には、例えば、当該監視を行ったり、リレーのオン、オフを制御したり、他の機器と通信を行ったりするための制御回路が設けられている。
【００８８】
下側連結部材１０４及び上側連結部材１０５は、複数の蓄電素子２００を連結する部材であり、下側連結部材１０４は下側の連結部材、上側連結部材１０５は、上側の連結部材である。つまり、下側連結部材１０４と上側連結部材１０５とで複数の蓄電素子２００を挟み込むように固定することで、複数の蓄電素子２００を連結する。これにより、複数の蓄電素子２００を隣接して配置することができる。
【００８９】
具体的には、下側連結部材１０４及び上側連結部材１０５は、平板状の部材であり、例えば金属などによって形成されている。これにより、複数の蓄電素子２００を強固に安定して固定することができる。なお、下側連結部材１０４及び上側連結部材１０５の材質及び形状は、特に限定されない。
【００９０】
また、本実施の形態では、１２個の蓄電素子２００が直列に接続されて配置されている。この蓄電素子２００の詳細な構成の説明は、後述する。なお、蓄電素子２００は並列に接続されていてもよく、蓄電素子２００の個数は限定されず、１個であっても、１２個以外の複数個であってもよい。
【００９１】
なお、その他、蓄電機器１００には、複数の蓄電素子２００同士を電気的に接続するバスバーなどが配置されているが、説明を省略する。また、蓄電機器１００には、ファンなどの冷却装置が設置されていてもかまわない。
【００９２】
次に、蓄電素子２００の構成について、詳細に説明する。
【００９３】
図７は、本発明の実施の形態に係る蓄電素子２００を内部を透視して示す斜視図である。
【００９４】
蓄電素子２００は、電気を充電し、また、電気を放電することのできる二次電池（単電池）であり、より具体的には、リチウムイオン二次電池などの非水電解質二次電池である。なお、蓄電素子２００は、非水電解質二次電池には限定されず、非水電解質二次電池以外の二次電池であってもよいし、キャパシタであってもよい。
【００９５】
同図に示すように、蓄電素子２００は、容器２１０、正極端子２３０及び負極端子２４０を備え、容器２１０は、上壁である容器蓋部２２０を備えている。また、容器２１０内方には、電極体２５０、正極集電体２６０及び負極集電体２７０が配置されている。なお、容器２１０の内部には電解液などの液体が封入されているが、当該液体の図示は省略する。
【００９６】
容器２１０は、金属からなる矩形筒状で底を備える筐体本体と、当該筐体本体の開口を閉塞する金属製の容器蓋部２２０とで構成されている。また、容器２１０は、電極体２５０等を内部に収容後、容器蓋部２２０と筐体本体とが溶接等されることにより、内部を密封することができるものとなっている。なお、容器２１０の材質は、特に限定されないが、例えばステンレス鋼やアルミニウムなど溶接可能な金属であるのが好ましい。
【００９７】
電極体２５０は、正極と負極とセパレータとを備え、電気を蓄えることができる発電要素である。具体的には、電極体２５０は、正極と負極との間にセパレータが挟み込まれるように層状に配置されたものを全体が長円形状となるように巻回されて形成された巻回型の電極体である。なお、電極体２５０は、平板状極板を積層した積層型の電極体であってもかまわない。
【００９８】
ここで、正極は、アルミニウムまたはアルミニウム合金などからなる長尺帯状の導電性の正極集電箔の表面に正極活物質層が形成された電極板であり、負極は、銅または銅合金などからなる長尺帯状の導電性の負極集電箔の表面に負極活物質層が形成された電極板であり、セパレータは、微多孔性のシートである。なお、蓄電素子２００に用いられる正極、負極及びセパレータは、特に従来用いられてきたものと異なるところはなく、蓄電素子２００の性能を損なうものでなければ適宜公知の材料を使用できる。また、容器２１０に封入される電解液（非水電解液）としても、蓄電素子２００の性能を損なうものでなければその種類に特に制限はなく様々なものを選択することができる。
【００９９】
正極端子２３０は、正極集電体２６０を介して、電極体２５０の正極に電気的に接続された電極端子であり、負極端子２４０は、負極集電体２７０を介して、電極体２５０の負極に電気的に接続された電極端子であり、いずれも容器蓋部２２０に取り付けられている。つまり、正極端子２３０及び負極端子２４０は、電極体２５０に蓄えられている電気を蓄電素子２００の外部空間に導出し、また、電極体２５０に電気を蓄えるために蓄電素子２００の内部空間に電気を導入するための金属製の電極端子である。
【０１００】
具体的には、蓄電機器１００に備えられた複数の蓄電素子２００のうち正極外部接続端子１０１側に配置された蓄電素子２００の正極端子２３０が正極外部接続端子１０１と接続され、当該蓄電素子２００の負極端子２４０は、隣接する蓄電素子２００の正極端子２３０と接続される。また同様に、当該複数の蓄電素子２００のうち負極外部接続端子１０２側に配置された蓄電素子２００の負極端子２４０が負極外部接続端子１０２と接続され、当該蓄電素子２００の正極端子２３０は、隣接する蓄電素子２００の負極端子２４０と接続される。また、その他の蓄電素子２００の正極端子２３０または負極端子２４０は、隣接する蓄電素子２００の負極端子２４０または正極端子２３０と接続される。
【０１０１】
正極集電体２６０は、電極体２５０の正極と容器２１０の側壁との間に配置され、正極端子２３０と正極とに電気的に接続される導電性と剛性とを備えた部材である。なお、正極集電体２６０は、正極の正極集電箔と同様、アルミニウムまたはアルミニウム合金などで形成されている。また、負極集電体２７０は、電極体２５０の負極と容器２１０の側壁との間に配置され、負極端子２４０と電極体２５０の負極とに電気的に接続される導電性と剛性とを備えた部材である。なお、負極集電体２７０は、負極の負極集電箔と同様、銅または銅合金などで形成されている。
【０１０２】
ここで、蓄電部１０において、電力用配線１１０及び制御用配線１２０が蓄電機器１００に接続され、また対向開口部１３とグロメット１３０に挿入される構成について、詳細に説明する。
【０１０３】
図８は、本発明の実施の形態に係る蓄電部１０内での電力用配線１１０及び制御用配線１２０の配置を斜め上方から示す斜視図である。また、図９は、本発明の実施の形態に係る蓄電部１０内での電力用配線１１０及び制御用配線１２０の配置を斜め下方から示す斜視図である。なお、図９では、蓄電部１０内の下部の電力用配線１１０及び制御用配線１２０の配置は、省略して図示している。
【０１０４】
これらの図に示すように、電力用配線１１０は、電力用配線１１２、１１４、１１５、１１７、１１８を有しており、制御用配線１２０は、制御用配線１２２、１２４、１２５、１２７、１２８を有している。また、蓄電部１０は、蓄電機器１００と接続可能な蓄電機器接続部１１３、１２３、１１６、１２６と、他の蓄電部１０の電力用配線１１０及び制御用配線１２０と接続可能なユニット接続部１１１、１２１とを有している。
【０１０５】
そして、図８に示すように、電力用配線１１２の一端がユニット接続部１１１に接続され、電力用配線１１２の他端が蓄電機器接続部１１３に接続されている。また、電力用配線１１４の一端が蓄電機器１００ｂの正極外部接続端子１０１ｂ及び負極外部接続端子１０２ｂに接続され、電力用配線１１４の他端が蓄電機器接続部１１３に接続されている。なお、蓄電機器１００ｂは、２つの蓄電機器１００のうちの下方に配置されている蓄電機器である。
【０１０６】
また、制御用配線１２２の一端がユニット接続部１２１に接続され、制御用配線１２２の他端が蓄電機器接続部１２３に接続されている。また、制御用配線１２４の一端が蓄電機器１００ｂの制御機器１０３ｂ内の制御基板に接続され、制御用配線１２４の他端が蓄電機器接続部１２３に接続されている。
【０１０７】
また、他の蓄電部１０の電力用配線１１８及び制御用配線１２８（同図では、第二蓄電部１０Ｂの第二電力用配線１１８Ｂ及び第二制御用配線１２８Ｂ）が、収容容器１１の外方から対向開口部１３に挿入されて、ユニット接続部１１１及び１２１に接続される。
【０１０８】
そして、図９に示すように、電力用配線１１５の一端が蓄電機器接続部１１３に接続され、電力用配線１１５の他端が蓄電機器接続部１１６に接続されている。また、電力用配線１１７の一端が蓄電機器１００ａの正極外部接続端子１０１ａ及び負極外部接続端子１０２ａに接続され、電力用配線１１７の他端が蓄電機器接続部１１６に接続されている。また、電力用配線１１８の一端が蓄電機器接続部１１６に接続されている。なお、蓄電機器１００ａは、２つの蓄電機器１００のうちの上方に配置されている蓄電機器である。
【０１０９】
また、制御用配線１２５の一端が蓄電機器接続部１２３に接続され、制御用配線１２５の他端が蓄電機器接続部１２６に接続されている。また、制御用配線１２７の一端が蓄電機器１００ａの制御機器１０３ａ内の制御基板に接続され、制御用配線１２７の他端が蓄電機器接続部１２６に接続されている。また、制御用配線１２８の一端が蓄電機器接続部１２６に接続されている。
【０１１０】
また、電力用配線１１８及び制御用配線１２８は、２つのグロメット１３０に挿入されて、図８に示すように、他端（同図では、第一電力用配線１１８Ａの他端及び第一制御用配線１２８Ａの他端）が、収容容器１１の外方に露出している。なお、この電力用配線１１８及び制御用配線１２８の他端は、他の蓄電部１０のユニット接続部１１１及び１２１、またはパワーコンディショナー部２０に接続される。
【０１１１】
なお、これらの図では、電力用配線１１８及び制御用配線１２８がグロメット１３０の開口部に挿入された状態で、グロメット１３０の開口部内の電力用配線１１８及び制御用配線１２８の周囲には空間が生じているが、当該空間がなくなるようなグロメットを用いてもよい。
【０１１２】
以上のように、本発明の実施の形態に係る蓄電装置１によれば、蓄電機器１００が収容された収容容器１１は、他の収容容器１１と隣接して配置された場合に、当該他の収容容器１１に対向する対向面に形成された対向開口部１３及び１４を有している。これにより、対向開口部１３及び１４に配線を挿入したり、対向開口部１３及び１４を冷却用または排気用の通路として活用したりすることができるため、収容容器１１の外部に配線や通路などを設ける必要がなく、占有スペースが大きくなってしまうのを抑制することができる。このため、１以上の蓄電素子２００を有する蓄電機器１００が収容された収容容器１１を隣接配置可能な蓄電装置１において、省スペース化を図ることができる。
【０１１３】
また、蓄電装置１において、対向開口部１３または１４は、当該他の収容容器１１に形成された対向開口部１４または１３と対応する位置に形成されているため、この２つの開口部に配線を挿入したり、この２つの開口部を冷却用または排気用の通路として活用したりすることができる。これにより、効率良く、配線や通路を配置することができ、省スペース化を図ることができる。
【０１１４】
また、蓄電装置１において、蓄電機器１００に接続された電力用配線１１０及び制御用配線１２０が、対向開口部１３及び１４に挿入されるため、収容容器１１の内部に当該電力用配線１１０及び制御用配線１２０を配置することができ、省スペース化を図ることができる。
【０１１５】
また、蓄電装置１において、収容容器１１は、遮蔽部材であるグロメット１３０及び遮蔽板１４０が配置可能なように形成されているため、対向開口部１３及び１４を介して、収容容器１１の内部に異物が侵入したり、収容容器１１の外部に蓄電機器１００からの排気などの排出物が漏洩したりするのを抑制することができる。特に、第二収容容器１１Ｂの第二対向開口部１３Ｂ（図示せず）を遮蔽板１４０で塞ぐことで、虫、水、埃、砂などの異物が第二収容容器１１Ｂの内部に侵入するのを防止することができる。
【０１１６】
また、蓄電装置１において、対向開口部１４内の配線周囲の空間を狭めるためのグロメット１３０が配置されるため、対向開口部１４内の配線周囲の空間を介して、収容容器１１の内部に異物が侵入したり、収容容器１１の外部に蓄電機器１００からの排気などの排出物が漏洩したりするのを抑制することができる。特に、第一収容容器１１Ａの第一対向開口部１４Ａの空間をグロメット１３０で狭めることで、パワーコンディショナー部２０の内部に第一蓄電機器１００Ａからの排熱が侵入するのを防止することができる。
【０１１７】
また、蓄電装置１において、収容容器１１には、非対向開口部１５が形成されているため、非対向開口部１５を冷却用または排気用の通路などとして活用することができる。このため、対向開口部１３及び１４に加えて、または対向開口部１３及び１４を遮蔽部材で塞いだような場合には対向開口部１３及び１４の代わりに、非対向開口部１５を形成することで、省スペース化を図ることができる。
【０１１８】
また、蓄電装置１において、蓄電機器１００の正極外部接続端子１０１及び負極外部接続端子１０２ともに、対向開口部１３及び１４側に配置されているため、対向開口部１３及び１４内に挿入された配線を、容易に蓄電機器１００に接続することができる。また、正極外部接続端子１０１及び負極外部接続端子１０２に接続するための配線を短くすることができる。
【０１１９】
また、蓄電装置１において、収容容器１１は、蓄電機器１００を支持する支持部１９を有しているため、蓄電機器１００を搭載する際の収容容器１１の強度を確保することができる。
【０１２０】
また、蓄電装置１が備える第一収容容器１１Ａと第二収容容器１１Ｂとは、同一形状で形成されているため、複数形状の収容容器を製造する必要がない。このため、簡易に蓄電装置１を製造することができ、また、製造コストを低減することができる。
【０１２１】
以上、本発明の実施の形態に係る蓄電装置１について説明したが、本発明は、上記実施の形態に限定されるものではない。つまり、今回開示された実施の形態は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【０１２２】
例えば、上記実施の形態では、収容容器１１は、対向開口部１３を塞ぐ遮蔽部材である遮蔽板１４０が配置可能な構成となっているが、収容容器１１は、非対向開口部１５についても同様に、非対向開口部１５を塞ぐ遮蔽部材が配置可能な構成としてもよい。
【０１２３】
また、上記実施の形態では、蓄電機器１００の正極外部接続端子１０１及び負極外部接続端子１０２ともに、対向開口部１３、１４側に配置されていることとしたが、正極外部接続端子１０１及び負極外部接続端子１０２のいずれか一方のみが対向開口部１３、１４側に配置されていることにしてもよい。この構成においても、正極外部接続端子１０１及び負極外部接続端子１０２を収容容器１１の手前側（例えば図３のＸ軸方向マイナス側）に配置することで、正極外部接続端子１０１及び負極外部接続端子１０２に接続される配線のメンテナンスが容易になるという効果が奏される。
【０１２４】
また、上記実施の形態では、対向開口部１３は、他の収容容器１１に形成された対向開口部１４と対応する位置に形成されていることとしたが、当該対向開口部１３と対向開口部１４とは、少しずれた位置に形成されていてもよい。
【０１２５】
また、上記実施の形態では、収容容器１１は、遮蔽部材としてのグロメット１３０と遮蔽板１４０とが配置可能に形成されていることとしたが、収容容器１１は、当該遮蔽部材を配置しない構成でもかまわない。または、収容容器１１は、遮蔽部材として、グロメット１３０や遮蔽板１４０とは異なる材質及び形状の遮蔽部材を配置可能に形成されていることにしてもよい。
【０１２６】
また、上記実施の形態では、収容容器１１は、非対向開口部１５を有していることとしたが、収容容器１１は、非対向開口部１５を有していない構成でもかまわない。
【０１２７】
また、上記実施の形態では、蓄電装置１は、２つの蓄電部１０（第一蓄電部１０Ａ及び第二蓄電部１０Ｂ）を備えていることとしたが、蓄電部１０の数は限定されない。図１０及び図１１は、本発明の実施の形態の変形例に係る蓄電装置２及び３の外観を示す斜視図である。
【０１２８】
図１０に示すように、蓄電装置２は、３つの蓄電部１０である第一蓄電部１０Ａ、第二蓄電部１０Ｂ及び第三蓄電部１０Ｃを備えている。ここで、第一蓄電部１０Ａ、第二蓄電部１０Ｂ及び第三蓄電部１０Ｃは、全て同一形状で構成されている。つまり、上記実施の形態における蓄電装置１の第二蓄電部１０Ｂとベース部３０との間に、第三蓄電部１０Ｃを挿入して、蓄電装置２を構成している。
【０１２９】
このように、第一蓄電部１０Ａ、第二蓄電部１０Ｂ及び第三蓄電部１０Ｃが全て隣接配置可能（連結可能）な同一形状で構成されているため、第三蓄電部１０Ｃを簡易に増設することができる。なお、蓄電装置２は、４つ以上の蓄電部１０を備えている構成でもかまわない。
【０１３０】
また、図１１に示すように、蓄電装置３は、１つの蓄電部１０（第一蓄電部１０Ａ）しか備えていない。つまり、上記実施の形態における蓄電装置１の第二蓄電部１０Ｂを取り外して、ベース部３０上に第一蓄電部１０Ａを載置することで、蓄電装置３を構成している。
【０１３１】
このように、第一蓄電部１０Ａ及び第二蓄電部１０Ｂが隣接配置可能（連結可能）な同一形状で構成されているため、第二蓄電部１０Ｂを簡易に取り外すことができる。
【０１３２】
なお、上記実施の形態及びその変形例では、蓄電装置は、パワーコンディショナー部２０と蓄電部１０とを縦に配列した構成であるが、パワーコンディショナー部２０と蓄電部１０とを横に配列した構成でもよいし、パワーコンディショナー部２０を蓄電部１０の下方に配置する構成でもかまわない。
【０１３３】
また、上記実施の形態及びその変形例では、蓄電装置は、複数の蓄電部１０を縦に配列した構成であるが、複数の蓄電部１０を横に配列した構成でもよいし、Ｌ字状に配列した構成でもかまわない。
【０１３４】
また、上記実施の形態及びその変形例では、蓄電装置は、複数の収容容器が連結可能に構成されており、当該複数の収容容器は連結して接続されることとした。しかし、複数の収容容器は、隣接配置可能に構成されており、隣接して配置されるのであれば、どのような構成であってもかまわない。例えば、一の収容容器が他の収容容器上に単に載置される構成や、複数の収容容器が床の上に載置されて並べられる構成であってもかまわない。
【０１３５】
また、上記実施の形態及びその変形例では、下側連結部材１０４と上側連結部材１０５とで複数の蓄電素子２００を挟み込むように固定することで、複数の蓄電素子２００を連結することとした。しかし、複数の蓄電素子２００は、容器に収容されるなど、保護するための板金で覆われているだけの構成でもかまわない。
【０１３６】
また、上記実施の形態及びその変形例を任意に組み合わせて構築される形態も、本発明の範囲内に含まれる。
【産業上の利用可能性】
【０１３７】
本発明は、１以上の蓄電素子を有する蓄電機器が収容された収容容器を隣接配置可能な構成において、省スペース化を図ることができる蓄電装置等に適用できる。
【符号の説明】
【０１３８】
１、２、３  蓄電装置
１０  蓄電部
１０Ａ  第一蓄電部
１０Ｂ  第二蓄電部
１０Ｃ  第三蓄電部
１１  収容容器
１１Ａ  第一収容容器
１１Ｂ  第二収容容器
１２  載置部
１２Ａ  第一載置部
１２Ｂ  第二載置部
１３、１４  対向開口部
１３Ａ、１４Ａ  第一対向開口部
１３Ｂ、１４Ｂ  第二対向開口部
１５  非対向開口部
１５Ａ  第一非対向開口部
１５Ｂ  第二非対向開口部
１６  底面
１６Ａ  第一底面
１７  上面
１７Ａ  第一上面
１７Ｂ  第二上面
１８  側面
１８Ａ  第一側面
１８Ｂ  第二側面
１９  支持部
１９Ａ  第一支持部
１９Ｂ  第二支持部
２０  パワーコンディショナー部
２１  入出力部
３０  ベース部
１００、１００ａ、１００ｂ  蓄電機器
１００Ａ  第一蓄電機器
１００Ｂ  第二蓄電機器
１０１、１０１ａ、１０１ｂ  正極外部接続端子
１０２、１０２ａ、１０２ｂ  負極外部接続端子
１０３、１０３ａ、１０３ｂ  制御機器
１０４  下側連結部材
１０５  上側連結部材
１１０、１１２、１１４、１１５、１１７、１１８  電力用配線
１１０Ａ、１１８Ａ  第一電力用配線
１１０Ｂ、１１８Ｂ  第二電力用配線
１１１、１２１  ユニット接続部
１１３、１１６、１２３、１２６  蓄電機器接続部
１２０、１２２、１２４、１２５、１２７、１２８  制御用配線
１２０Ａ、１２８Ａ  第一制御用配線
１２０Ｂ、１２８Ｂ  第二制御用配線
１３０  グロメット
１３０Ａ  第一グロメット
１３０Ｂ  第二グロメット
１４０  遮蔽板
１４０Ａ  第一遮蔽板
１４０Ｂ  第二遮蔽板
１５０  締結部材
１６１、１６２  載置台
２００  蓄電素子
２１０  容器
２２０  容器蓋部
２３０  正極端子
２４０  負極端子
２５０  電極体
２６０  正極集電体
２７０  負極集電体
【図１】
2015128015.tif 000003
【図２】
2015128015.tif 000004
【図３】
2015128015.tif 000005
【図４】
2015128015.tif 000006
【図５】
2015128015.tif 000007
【図６】
2015128015.tif 000008
【図７】
2015128015.tif 000009
【図８】
2015128015.tif 000010
【図９】
2015128015.tif 000011
【図１０】
2015128015.tif 000012
【図１１】
2015128015.tif 000013